(57)【要約】【課題】各々商品の種類毎に異なる商品情報をＩＣチップに記憶させたＩＣタグを取り付けることにより多種類に亘る各々商品に対し種類毎に異なる特定情報を記憶させ、種類毎の商品陳列数量や商品在庫数量をリアルタイムにて確認。【解決手段】店内に陳列されている各々商品Ｇ１  〜Ｇｎ  毎に取り付けられ各々商品Ｇ１  〜Ｇｎ  の商品種毎に異なる商品特定情報が記憶されたＩＣタグ２と、該ＩＣタグ２に記憶されている商品特定情報を読み取る商品特定情報読取手段１０と、陳列されている各々商品１〜ｎの店内陳列数量及び店内在庫数量等の店内商品在庫情報を記憶登録する店内商品在庫情報データベース２０とを備え、読み取られた当該商品特定情報に基づいて当該商品種の店内商品在庫情報を前記データベース２１から読み出す店内在庫情報読出手段３０と、読み出された店内在庫情報を音声にて店内に告知する音声発生手段４０とからなる。【選択図】図１
2004227126.tif 000002
【特許請求の範囲】
【請求項１】
店内に陳列されている各々商品毎に取り付けられ各々商品の商品種毎に異なる商品特定情報が記憶されたＩＣタグと、該ＩＣタグに記憶されている商品特定情報を読み取る商品特定情報読取手段と、陳列されている各々商品の店内陳列数量及び店内在庫数量等の店内商品在庫情報を記憶登録する店内商品在庫情報データベースとを備え、読み取られた当該商品種の商品特定情報に基づいて当該商品種の店内商品在庫情報を前記データベースから読み出す店内在庫情報読出手段と、読み出された当該商品種の店内在庫情報を音声にて店内に告知する音声発生手段とからなることを特徴とする店内商品在庫状況告知システム。
【発明の詳細な説明】
【０００１】
【発明の属する技術分野】
本発明は、店内に陳列されている各々商品に取付けられたＩＣタグから当該商品の特定情報を読み取り、購買者に対して、当該商品の現在の店内での在庫状況をリアルタイムで告知するための店内商品在庫状況告知システムに関する。
【０００２】
【従来の技術】
販売店側が、店内に陳列されている商品の販売状況や、店内に在庫としてストックされている商品の移動状況などを把握する従来の方法としては、例えば、ＰＯＳ（Ｐｏｉｎｔ  Ｏｆ  Ｓａｌｅｓ）システムがある。
【０００３】
このＰＯＳシステムは、レジやカウンターにて売上げた商品に表示されているバーコードをバーコード読取手段にて読み取ることにより、その商品の売上時点で商品の移動が記録できるが、その商品を売り上げるまでは、当該商品の店内での在庫状況（店内に陳列されている商品の陳列数量や在庫数量）を確認することができない。
【０００４】
また、上記ＰＯＳシステムの他の例としては、各々商品に取り付けた発振タグを読取手段にて読み取ることにより、その商品の売上時点で商品の移動を記録できるようにしたシステムもあるが、発振タグから発生する発振周波数を商品の種類毎に識別可能に割り当てる必要があり、多種類に亘る商品に識別可能に割り当てる周波数の範囲にも限界がある。
【０００５】
【発明が解決しようとする課題】
本発明の課題は、各々商品に、その種類毎に異なる商品情報をＩＣチップに記憶させたＩＣタグを取り付けることにより、多種類に亘る各々商品に対して、種類毎に異なる特定情報（商品情報）を多種類に亘って記憶させることができ、また種類毎の商品陳列数量や商品在庫数量をリアルタイムで確認できるようにすることにある。
【０００６】
【課題を解決するための手段】
本発明は、図示するように、店内に陳列されている各々商品Ｇ１  〜Ｇｎ  毎に取り付けられ各々商品Ｇ１  〜Ｇｎ  の商品種毎に異なる商品特定情報が記憶されたＩＣタグ２と、該ＩＣタグ２に記憶されている商品特定情報を読み取る商品特定情報読取手段１０と、陳列されている各々商品１〜ｎの店内陳列数量及び店内在庫数量等の店内商品在庫情報を記憶登録する店内商品在庫情報データベース２０とを備え、読み取られた当該商品種の商品特定情報に基づいて当該商品種の店内商品在庫情報を前記データベース２１から読み出す店内在庫情報読出手段３０と、読み出された当該商品種の店内在庫情報を音声にて店内に告知する音声発生手段４０とからなることを特徴とする店内商品在庫状況告知システムである。
【０００７】
【発明の実施の形態】
本発明システムを図１に示す実施の形態に基づいて以下に詳細に説明すれば、店内に陳列されている各々商品Ｇ１  〜Ｇｎ  には、その個々の商品毎に、各々商品Ｇ１  〜Ｇｎ  の商品種毎に異なる商品特定情報Ａ、Ｂ、Ｃ、・・・が記憶されたＩＣタグ２が取り付けられている。
【０００８】
前記各々商品Ｇ１  〜Ｇｎ  に取付けられたＩＣタグ２に記憶されている商品特定情報は、情報端末器（パーソナルコンピュータなど）としての店内在庫情報読出手段３０に接続した商品特定情報読取手段１０によって読み取られる。
【０００９】
店内在庫情報読出手段３０には、店内に陳列され、在庫としてストックされている各々商品Ｇ１  〜Ｇｎ  の店内陳列商品数量及び店内在庫商品数量等の店内商品在庫情報を記憶登録する店内商品在庫情報データベース２０が接続されている。
【００１０】
店内に陳列され在庫としてストックされている各々商品Ｇ１  〜Ｇｎ  のうち、所望の商品Ｇｋ  に取付けられているＩＣタグ２を、商品販売者側にて商品特定情報読取手段１０によって読み取ることにより、当該商品Ｇｋ  の商品種に該当する商品特定情報が読み取られる。
【００１１】
そして、読み取られた当該商品Ｇｋ  の商品種に該当する商品特定情報は、店内在庫情報読出手段３０に入力され、該店内在庫情報読出手段３０は、入力された商品特定情報に基づいて、当該商品種の店内商品在庫情報を前記データベース２０から読み出すものである。
【００１２】
前記店内在庫情報読出手段３０によって読み出された当該商品種の店内商品在庫情報は、音声発生手段４０（スピーカー）により、その商品Ｇｋ  の商品名と共に音声にて店内に告知されて、店内にいる購買者は商品Ｇｋ  の現在の在庫情報をリアルタイムで知ることができる。
【００１３】
そして、これにより、その商品Ｇｋ  の商品数が「あとｎ個」であるか、「残り少ない」か、「あと１個」であるか、「売り切れ」であるかなど、その商品Ｇｋ  の店内陳列商品数や店内在庫商品数など陳列状況や在庫状況に応じた案内を音声で知らせることができる。
【００１４】
前記ＩＣタグ２はＩＣメモリを搭載した小片状のＩＣチップ（半導体メモリ）と、それに接続するアンテナ（誘導電流による電力発生用、電波送受信用）と、回路パターンとからなり、各々商品Ｇ１  〜Ｇｎ  の表面又は内面に接着剤を介して貼着方式にて取付けられている。またＩＣタグ２はシート状ラベルやシールに一体的に取り付けられていていてもよく、各々商品Ｇ１  〜Ｇｎ  の表面又は内面にＩＣタグ付きラベルやシールを貼着することにより取付けるようにしてもよい。
【００１５】
ＩＣタグ２のアンテナや回路パターンは、アルミニウムや銅などの金属箔又は薄膜により回路形成されていてもよいし、導電性インキと絶縁性インキとを用いてフォトリソグラフィ方式や印刷方式にて回路形成されていてもよい。
【００１６】
上記ＩＣタグ２（ＩＣメモリタグ）は、書込手段（リーダー）や読取手段（ライター）に対して非接触式又は接触式にて接続して交信できる小型で偏平状のＩＣメモリであり、サイズとして特に限定はしないが、例えば１辺または直径が１ｍｍ〜５ｍｍ程度又は１ｍｍ以下でもよい。
【００１７】
例えば、ＩＣタグ２は、その回路部又は／及びアンテナ部又は／及びメモリ部を、導電性インキ、磁性インキ、絶縁性インキ（あるいは電気抵抗インキ）等を用いてフォトリソグラフィ方式や印刷方式にて形成してもよいし、既製のＩＣメモリチップ（半導体チップ）を用いて形成してもよい。
【００１８】
上記ＩＣタグ２は、アンテナ部とメモリ部と、アンテナ部とメモリ部とを接続する導電回路部とにより構成され、アンテナ部はメモリ部への情報データの書き込み記録や、記録した情報データをメモリ部から読み取る動作電力を供給するための誘導起電力を発生させる。
【００１９】
ＩＣタグ２は、図１に示すように、情報端末器３０（パーソナルコンピュータなど）に接続した商品特定情報を書き込み記録と読み取りができる書込読取手段１０（リーダーライター）又は読み取りのみができる商品特定情報を読み取る商品特定情報読取手段１０（リーダー）のヘッド部に接触又は所定間隔を保持して対峙させ、その手段１０のアンテナ部から発信する商品Ｇｋ  に関する商品特定情報や商品特定情報以外の商品関連情報のデータに基づく所定周波数の電波による書き込み信号あるいは読み取り信号により、ＩＣタグ２のアンテナ部に誘導起電力による書き込み信号や読み取り信号を発生させて、ＩＣタグ２に商品特定情報や商品特定情報以外の商品関連情報を書き込み、又はＩＣタグ２に記憶されている商品特定情報や商品特定情報以外の商品関連情報を読み取ることができる。
【００２０】
そして、その信号により、ＩＣタグ２のメモリ部に商品情報や商品情報以外の情報がデータとして書き込み記録され、あるいはそのメモリ部に記録されている商品情報や商品情報以外の情報がデータとして読み出される。
【００２１】
上記ＩＣタグ２は、書込読取手段（リーダーライター）によって、書き込み記録（書き換えや再書き込み記録を含む）と読み取りの両方が可能であってもよいが、本発明においては、情報の改ざんや不正使用を防止するために、書込読取手段（リーダーライター）によって、予め書き込み記録されている情報データの読み取りのみが可能であることが適当であり、その場合の情報データは、その対象商品の製造者（または販売者）によって予めＩＣメモリタグに書き込み記録される。
【００２２】
上記ＩＣタグ２には、少なくともそのＩＣタグ２が取り付けられる対象商品の商品種を特定し識別表現するための識別コード番号や識別コード記号が商品特定情報として記憶されている。
【００２３】
またＩＣタグ２には、上記識別コード番号や識別コード記号以外に、例えば商品本体又は包装容器等に商品本体を包装した包装対象商品に関する商品情報や、それら商品情報以外に、商品在庫管理情報、その商品のキャンペーン情報などを情報データとして記録でき、商品情報のみが記録されていてもよいし、商品在庫管理情報、商品のキャンペーン情報等の商品情報以外の情報のみが記録されていてもよい。
【００２４】
なお、ＩＣタグ２（またはＩＣメモリチップ）への情報の書き込み記録は、ＩＣタグ２を取り付ける前でもよいし、取り付け後でもよい。また、書き込み記録の作業は、商品を製造したり、製造した商品を包装する商品製造者、または包装容器本体を製造したり、製造した包装容器本体にＩＣタグ２（またはＩＣメモリタグチップ）を取り付ける包装容器製造者（コンバータ）のいずれかが、書込手段（図示せず）を用いて行うことができる。
【００２５】
店内商品在庫情報データベース２０には、ＩＣタグ２が取り付けられる対象商品の商品種を特定し、識別表現するための識別コード番号や識別コード記号が各々商品Ｇ１  〜Ｇｎ  の商品特定情報として記録され、また、各々商品Ｇ１  〜Ｇｎ  の商品特定情報毎に、少なくとも各々商品Ｇ１  〜Ｇｎ  の店内陳列商品数量及び店内在庫商品数量等の店内商品在庫情報がデータテーブルとして記録されている。また、前記各々商品特定情報は、商品名称、製造者、販売者、住所、電話番号、あるいは製造ロット、製造日付と共に記録されていてもよい。
【００２６】
また上記データベース２０には、各々商品Ｇ１  〜Ｇｎ  に関する情報として、上記商品特定情報及び商品特定情報毎の店内陳列商品数量及び店内在庫商品数量以外に、例えば商品名称、製造者、販売者、住所、電話番号、あるいは製造ロット、製造日付、製造機械、製造担当者等の製造情報、あるいは調理レシピ、カロリー、賞味期限、お知らせ情報、景品の当たりはずれや応募情報等のキャンペーン情報、店舗情報、あるいは原材料名、原材料生産者名、原産地名、あるいは容器本体材質、分別回収、ライフサイクルインベントリー情報、アセスメント情報、リサイクル回数等の情報が記録され、また、商品（物品）在庫管理情報としては、工場、倉庫、配送センター、店舗などにおいて、出荷、入荷、検品、在庫数など在庫状況、棚卸状況、仕訳、追跡、照合、行き先管理等の情報が記録されていてもよく、またこれら情報に限定されるものではない。
【００２７】
また、上記データベース２０に記録される商品のキャンペーン情報等の商品情報以外の情報として、景品の当たりはずれ情報（当たりはずれ券の情報）、キャンペーン応募情報（応募券や応募シール券の情報）等があるが、これらに限定されるものではない。
【００２８】
本発明の店内商品在庫状況告知システムは、購買者が欲しい商品が店内に現在何個、陳列され、在庫としてストックされているかを、いち早く知るための陳列在庫情報ソースとして利用することができる。
【００２９】
また、例えばインターネット情報化社会の商品流通業界における商品流通情報ソースとしても利用することができ、商品購入者（店主）側は、商品納入業者向けに、店内における現在の陳列商品情報や在庫商品情報等の上記陳列在庫情報ソースをデータベース２０に構築して、ネットワークを介して商品調達管理情報として提供することができ、これにより商品納入業者が、該商品調達管理情報に基づき商品購入者（店主）側に対して、購買者が欲しい商品を適時に、いち早く調達できる商品調達情報データのデータ提供サイトとして構築することも可能である。
【００３０】
商品購入者（店主）側は、このように構築された商品調達情報データ提供サイトをデータサーバとして、インターネットなどのネットワークを介してｗｅｂ上にて、１乃至複数の商品納入業者（商品製造業者、商品卸販売業者）側に、その商品調達管理情報を発信提供することができ、他方、１乃至複数の商品納入業者は、その商品調達管理情報を受信して商品在庫の有ることを商品購入者（店主）側に送信することができる。
【００３１】
これにより商品購入者（店主）側は、１乃至複数の商品製造業者や商品卸販売業者等の上記商品納入業者が、商品購入者（店主）及び店内にいる商品購買者の欲しい商品の在庫を持っていることを確認でき、商品購入業者（店主）は最も安い価格で取り引きしてもらえる納入業者や最も速く納入してもらえる納入業者を商品調達情報データ提供サイトから素早く知ることができるようになる。
【００３２】
【発明の効果】
本発明の店内商品在庫状況告知システムは、商品本体や商品を包装した包装商品に取り付けた商品に関する特定情報を電子データとして書き込み記録したＩＣタグから、その商品の特定情報を読み出し、その特定情報に基づいて、その商品の現在の陳列数量や在庫数量をデータベースから読み出すことができ、読み出した商品陳列数量や在庫数量を、店内にいる購買者に音声にて知らせることができるものであり、各々商品に、その種類毎に異なる商品の特定情報を記憶させたＩＣタグを取り付けることにより、多種類に亘る各々商品に対して、種類毎に異なる特定情報（商品情報）を記憶させることができ、また種類毎の商品陳列数量や商品在庫数量をデータベースからリアルタイムで読み出し確認でき、店内にいる購買者に現在の陳列、在庫状況を音声にてリアルタイムで告知することができるものである。
【００３３】
また本発明の店内商品在庫状況告知システムにおけるデータベースは、インターネット情報化社会の商品流通業界において、どの商品納入業者が、商品購入業者（店主）及び店内にいる購買者（顧客）の欲しい商品の在庫を持っているかをいち早く知るための商品調達管理情報ソースとしても利用することができ、商品製造業者や商品卸販売業者等の商品納入業者側は、商品購入業者（店主）側からインターネットなどネットワークを介してｗｅｂ上にて提供された商品調達管理情報に基づいて、商品購入業者（店主）側にインターネットを介してｗｅｂ上にて欲しい商品の在庫状況を発信することが可能になり、これによって効率的且つ経済的な商品流通を可能にすることができる。
【図面の簡単な説明】
【図１】本発明の店内商品在庫状況告知システムを説明するシステムブロック図。
【符号の説明】
Ｇ、Ｇ１  、Ｇｋ  …商品
２…ＩＣタグ  １０…読取手段  ２０…データベース  ３０…読出手段
４０…音声発生手段
【図１】
2004227126.tif 000003